(57)【要約】【課題】ロッカ使用料金をロッカ使用終了まで待つことなく早期に回収できる、一定のコインでロッカを何回でも使用可能なコインロッカ用錠装置を提供する。【解決手段】シリンダ錠１ｉの回動によって駆動手段１０が施錠手段１ｇを駆動し施解錠を行う。規制手段２０がキー引き抜き不能位置においてシリンダ錠の回動操作を規制しているときコイン投入口１ｃに投入されるコインをコイン収容手段３０が所定数収容すると、規制解除手段４０が回動操作の規制を解除する。規制解除後のシリンダ錠の回動操作に応じて回収手段５０が収容手段に収容されているコインの一部を返却コインとして残し、残部を料金コインとして回収する。シリンダ錠がキー引き抜き不能位置にあるときのみ操作可能な返却操作手段１ｅによる返却操作に応じて、返却手段６０が残りのコインをコイン返却口１ｄに返却し、これに応じて規制手段がシリンダ錠の回転操作を規制する。【選択図】図６
2007063878.tif 000002
【特許請求の範囲】
【請求項１】
キー挿抜自在位置とキー引き抜き不能位置にキーにより回動操作されるシリンダ錠と、
該シリンダ錠の回動によって施錠手段を駆動し施解錠を行う駆動手段と、
前記キー引き抜き不能位置において前記シリンダ錠の回動操作を規制する規制手段と、
該規制手段により前記シリンダ錠の回動操作が規制されているときコイン投入口に投入される所定数のコインを収容するコイン収容手段と、
該コイン収容手段に所定数のコインが収容されたとき、前記規制手段による前記シリンダ錠の回動操作の規制を解除する規制解除手段と、
該規制解除手段による規制解除後の前記シリンダ錠の回動操作に応じて前記収容手段に収容されているコインの一部を返却コインとして残し、残部を料金コインとして回収する回収手段と、
前記シリンダ錠が前記キー引き抜き不能位置にあるときのみ操作可能な返却操作手段を有し、該返却操作手段による返却操作に応じて、前記収容手段に返却コインとして残されているコインをコイン返却口に返却する返却手段とを備え、
前記規制手段は、前記返却操作手段による返却操作に応じて前記シリンダ錠の回動操作を規制する状態を形成する
ことを特徴とするコインロッカ用錠装置。
【請求項２】
前記規制解除手段は、前記規制手段が前記シリンダ錠の回動操作を規制しているときコイン投入口へのコインの投入を許容し、規制解除後前記コイン投入口へのコインの投入を阻止するコイン投入規制手段を有する
を備えることを特徴とする請求項１記載のコインロッカ用錠装置。
【請求項３】
前記コイン収容手段は、前記コイン投入口に投入された所定数のコインの一部を前記返却コインとして格納して保持する返却コイン収納保持手段と、前記所定数のコインの残部を料金コインとして収納して保持する料金コイン収納保持手段とを有し、
前記回収手段は、前記規制解除手段による規制解除後の前記シリンダ錠の回動操作に応じて前記料金コイン収納保持手段に料金コインとして収納保持されているコインを回収し、
前記返却手段は、前記返却操作に応じて前記返却コイン収納保持手段に返却コインとして収納保持されているコインを返却する
ことを特徴とする請求項１又は２記載のコインロッカ用錠装置。
【請求項４】
前記返却コイン収納保持手段は、前記料金コイン収納保持手段へのコインの収納に先立ち、前記コイン投入口に投入されたコインの一部を前記返却コインとして収納保持し、
前記料金コイン収納保持手段は、前記返却コイン収納保持手段が格納すべきコインを収納した後所定数に達するまで投入されるコインを料金コインとして収納保持し、
前記返却コイン収納保持手段は及び前記料金コイン収納保持手段は、前記返却操作に応じて収納保持してコインを開放する
ことを特徴とする請求項３記載のコインロッカ用錠装置。
【請求項５】
前記返却コイン収納保持手段は、前記コイン投入口に投入された返却コイン分のコインを収納する返却コイン収納室と、該返却コイン収納室と前記コイン返却口との間の返却通路内に進退可能に設けられ、付勢手段による付勢によって前記返却通路内に進入されてコインの落下を阻止する落下阻止ピンとを有し、前記落下阻止ピンは前記返却操作に応じて前記付勢手段による付勢に抗して前記返却通路外に後退される
ことを特徴とする請求項３又は４記載のコインロッカ用錠装置。
【請求項６】
前記料金コイン収納保持手段は、前記コイン投入口に投入される料金コイン分のコインを収納する料金コイン収納室と、該料金コイン収納室内のコインを落下して回収する回収通路内に進退可能に設けられ、付勢手段による付勢によって前記回収通路内に進入されてコインの落下を阻止する落下阻止ピンとを有し、前記落下阻止ピンは前記シリンダ錠の回動操作又は前記返却操作に応じて前記付勢手段による付勢に抗して前記供給通路外に後退される
ことを特徴とする請求項３又は４記載のコインロッカ用錠装置。
【請求項７】
施錠状態に対応するキー挿抜自在位置と解錠状態及び施錠待機状態にそれぞれ対応する２つのキー引き抜き不能位置にキーにより回動操作されるシリンダ錠と、
該シリンダ錠の前記施錠状態に対応するキー挿抜自在位置と前記解錠状態に対応するキー引き抜き不能位置への回動によって施錠手段を駆動し施解錠を行う駆動手段と、
前記施錠待機状態に対応するキー引き抜き不能位置において前記シリンダ錠の回動操作を規制する規制手段と、
前記規制手段による規制状態にあるときコイン投入口に投入される所定数のコインを収容するコイン収容手段と、
該コイン収容手段に所定数のコインが収容されたとき、前記規制手段による前記シリンダ錠の回動操作の規制を解除する規制解除手段と、
該規制解除手段による規制解除後の前記シリンダ錠の回動操作に応じて前記収容手段に収容されているコインの一部を返却コインとして残し、残部を料金コインとして回収する回収手段と、
前記シリンダ錠が前記施錠待機状態に対応するキー引き抜き不能位置にあるとき操作可能な返却操作手段を有し、該返却操作手段による返却操作に応じて、前記収容手段に返却コインとして残されているコインをコイン返却口に返却する返却手段とを備え、
前記規制手段は、前記返却操作手段による返却操作に応じて前記シリンダ錠の回動操作を規制する状態を形成する
ことを特徴とするコインロッカ用錠装置。
【請求項８】
前記施錠待機状態に対応するキー引き抜き不能位置は、前記施錠状態に対応するキー挿抜自在位置から前記解錠状態に対応するキー引き抜き不能位置とは反対方向にキーにより回動させた位置であり、
前記駆動手段は、前記施錠状態に対応するキー挿抜自在位置と前記施錠待機状態に対応するキー引き抜き不能位置との間でのシリンダ錠の回動操作と他の状態間の回動操作に必要な操作力を異ならせる節度感を付与する節度手段を有する
ことを特徴とする請求項７記載のコインロッカ用錠装置。
【発明の詳細な説明】
【技術分野】
【０００１】
本発明は、一定のコインで何回でも使用可能なコインロッカに用いられるコインロッカ用錠装置に関するものである。
【背景技術】
【０００２】
従来この種の錠装置として、使用開始時に使用者が所定数のコインを投入することによって施錠可能にするとともに、投入された所定数のコインをストッパによって保持し、コインが保持されている限り、キーによる施解錠を自在に行えるようにして何回でも使用可能にし、利用者がロッカの使用を終了するに当たって最後に解錠したところで初めて、返却ボタンを押してストッパを作動させて所定数のコインの一部をロッカ使用料金として回収すると同時に、残りを利用者に返却させることで、キーの確実な戻りを担保しつつ一定のコインで何回でも使用可能できるようにしたものが提案されている（例えば、特許文献１参照）。
【特許文献１】特開２０００−２００３８２号公報
【発明の開示】
【発明が解決しようとする課題】
【０００３】
しかしながら、この提案の錠装置にあっては、ロッカの使用終了時に返却ボタンを押すことで、利用者へのコインの一部返却とロッカ使用料金の回収とを同時に行わせるようになっているため、ロッカ利用料金の回収をロッカ使用終了まで待たなければならない。このようなロッカ使用料金の回収タイミングは、ロッカ使用開始時のキーによる施錠操作によって、キー操作に先立って投入したコインを回収する一般のコインロッカと相違するようになる。このため、回収したロッカ使用料金の集金作業を一般のロッカ同様に行った場合には、ロッカの使用が開始されているにも拘わらず、多額のロッカ使用料金が回収、すなわち、集金されずに滞留されることになり、ロッカ管理者にとって好ましいことではない。
【０００４】
よって、本発明は、上述した点に鑑み、一定のコインで何回でも使用可能なコインロッカに用いられるコインロッカ用錠装置において、ロッカの使用開始に先だって投入したコインのうち、ロッカ使用料金に相当するコインをロッカ使用終了まで待つことなく早期に回収できるようにしたコインロッカ用錠装置を提供することを課題としている。
【課題を解決するための手段】
【０００５】
上記課題を解決するためなされた発明に係るコインロッカ用錠装置は、キー挿抜自在位置とキー引き抜き不能位置にキーにより回動操作されるシリンダ錠と、該シリンダ錠の回動によって施錠手段を駆動し施解錠を行う駆動手段と、前記キー引き抜き不能位置において前記シリンダ錠の回動操作を規制する規制手段と、該規制手段により前記シリンダ錠の回動操作が規制されているときコイン投入口に投入される所定数のコインを収容するコイン収容手段と、該コイン収容手段に所定数のコインが収容されたとき、前記規制手段による前記シリンダ錠の回動操作の規制を解除する規制解除手段と、該規制解除手段による規制解除後の前記シリンダ錠の回動操作に応じて前記収容手段に収容されているコインの一部を返却コインとして残し、残部を料金コインとして回収する回収手段と、前記シリンダ錠が前記キー引き抜き不能位置にあるときのみ操作可能な返却操作手段を有し、該返却操作手段による返却操作に応じて、前記収容手段に返却コインとして残されているコインをコイン返却口に返却する返却手段とを備え、前記規制手段は、前記返却操作手段による返却操作に応じて前記シリンダ錠の回転操作を規制する状態を形成することを特徴とする。
【０００６】
上記構成により、キー挿抜自在位置とキー引き抜き不能位置にキーにより回動操作されるシリンダ錠の回動によって駆動手段が施錠手段を駆動し施解錠を行う。規制手段がキー引き抜き不能位置においてシリンダ錠の回動操作を規制しているときコイン投入口に投入されるコインをコイン収容手段が所定数収容すると、規制解除手段が規制手段によるシリンダ錠の回動操作の規制を解除する。規制解除手段による規制解除後のシリンダ錠の回動操作に応じて回収手段が収容手段に収容されているコインの一部を返却コインとして残し、残部を料金コインとして回収する。シリンダ錠がキー引き抜き不能位置にあるときのみ操作可能な返却操作手段による返却操作に応じて、返却手段が収容手段に返却コインとして残されているコインをコイン返却口に返却する。規制手段は、返却操作手段による返却操作に応じてシリンダ錠の回転操作を規制する状態を形成する。
【０００７】
したがって、所定数のコインが投入されて規制解除手段によって規制手段によるシリンダ錠の回動操作の規制が解除されてから、返却操作手段によって返却コインの返却が行われて規制手段がシリンダ錠の回転操作を規制する状態を形成するまでの間、シリンダ錠の回動操作が自由に行われるようになって、一定のコインで何回でも使用可能となる。また、投入された所定数のコインの一部を返却コインとして残し、残部が規制解除後のシリンダ錠の回動操作によって料金コインとして回収されるので、ロッカ使用料金に相当するコインをロッカ使用開始と同時に回収することができる。
【０００８】
請求項２記載のコインロッカ用錠装置は、請求項１記載のコインロッカ用錠装置において、前記規制解除手段は、前記規制手段が前記シリンダ錠の回動操作を規制しているときコイン投入口へのコインの投入を許容し、規制解除後前記コイン投入口へのコインの投入を阻止するコイン投入規制手段を有することを特徴とする。
【０００９】
上記構成により、シリンダ錠の回動操作を規制しているときコイン投入口へのコインの投入を許容し、規制解除後コイン投入口へのコインの投入を阻止するようになっているので、所定数以上のコインが投入されることが確実に防ぐことができるとともに、使用開始と同時に回収された料金コインに相当する数のコインを収容するスペースができても、このスペースに、使用中のロッカに誤って新たにコインが投入されることがなく。
【００１０】
請求項３記載のコインロッカ用錠装置は、請求項１又は２記載のコインロッカ用錠装置において、前記収容手段は、前記コイン投入口に投入された所定数のコインの一部を前記返却コインとして格納して保持する返却コイン収納保持手段と、前記所定数のコインの残部を料金コインとして収納して保持する料金コイン収納保持手段とを有し、前記回収手段は、前記規制解除手段による規制解除後の前記シリンダ錠の回動操作に応じて前記料金コイン収納保持手段に料金コインとして収納保持されているコインを回収し、前記返却手段は、前記返却操作に応じて前記返却コイン収納保持手段に返却コインとして収納保持されているコインを返却することを特徴とする。
【００１１】
上記構成により、所定数投入されたコインの一部が返却コインとして、残部が料金コインとして別々に収納保持され、料金コインとして収納保持しているコインがロッカ使用開始時のシリンダ錠の回動操作により回収され、返却コインとして収納保持しているコインがロッカ使用終了時の返却操作により返却される。
【００１２】
請求項４記載のコインロッカ用錠装置は、請求項３記載のコインロッカ用錠装置において、前記返却コイン収納保持手段は、前記料金コイン収納保持手段へのコインの収納に先立ち、前記コイン投入口に投入されたコインの一部を前記返却コインとして収納保持し、
前記料金コイン収納保持手段は、前記返却コイン収納保持手段が格納すべきコインを収納した後所定数に達するまで投入されるコインを料金コインとして収納保持し、
前記返却コイン収納保持手段は及び前記料金コイン収納保持手段は、前記返却操作に応じて収納保持してコインを開放することを特徴とする。
【００１３】
上記構成により、料金コイン収納保持手段へのコインの収納に先立ち、コイン投入口に所定数に達するまで投入されるコインをまず返却コインとして収納保持した後に料金コインとして収納保持し、収納保持した返却コインを返却操作によって開放するようにしているので、投入されたコインはまず返却コイン収納保持手段に収納され、返却コイン収納保持手段にコインが収納できなくなったところで次に回収コイン収納保持手段に格納されるようになり、所定数のコインの投入の途中で投入を取り止めて返却操作を行った場合、返却コイン数を超えて投入したコインだけが回収される。
【００１４】
請求項５記載のコインロッカ用錠装置は、請求項３又は４記載のコインロッカ用錠装置において、前記返却コイン収納保持手段は、前記コイン投入口に投入された返却コイン分のコインを収納する返却コイン収納室と、該返却コイン収納室と前記コイン返却口との間の返却通路内に進退可能に設けられ、付勢手段による付勢によって前記返却通路内に進入されてコインの落下を阻止する落下阻止ピンとを有し、前記落下阻止ピンは前記返却操作に応じて前記付勢手段による付勢に抗して前記返却通路外に後退されることを特徴とする。
【００１５】
上記構成により、返却コイン収納室とコイン返却口との間の返却通路内に進退可能に設けられた落下阻止ピンが、付勢手段による付勢によって返却通路内に進入されてコインの落下を阻止し、返却操作に応じて付勢手段による付勢に抗して返却通路外に後退されるようになっているので、返却コイン収納室に収納された返却コインは付勢手段の付勢に抗する力が加えられ落下阻止ピンが返却通路外に後退されない限り、返却コイン収納室に収納保持され続ける。
【００１６】
請求項６記載のコインロッカ用錠装置は、請求項３又は４記載のコインロッカ用錠装置において、前記料金コイン収納保持手段は、前記コイン投入口に投入される料金コイン分のコインを収納する料金コイン収納室と、該料金コイン収納室内のコインを落下して回収する回収通路内に進退可能に設けられ、付勢手段による付勢によって前記回収通路内に進入されてコインの落下を阻止する落下阻止ピンとを有し、前記落下阻止ピンは前記シリンダ錠の回動操作又は前記返却操作に応じて前記付勢手段による付勢に抗して前記回収通路外に後退されることを特徴とする。
【００１７】
上記構成により、料金コイン収納室内のコインを落下して回収する回収通路内に進退可能に設けられた落下阻止ピンが、付勢手段による付勢によって回収通路内に進入されてコインの落下を阻止し、シリンダ錠の回動操作又は返却操作に応じて付勢手段による付勢に抗して回収通路外に後退されるようになっているので、料金コイン収納室に収納された料金コインは付勢手段の付勢に抗する力が加えられ落下阻止ピンが回収通路外に後退されない限り、料金コイン収納室に収納保持され続ける。
【００１８】
請求項７記載のコインロッカ用錠装置は、施錠状態に対応するキー挿抜自在位置と解錠状態及び施錠待機状態にそれぞれ対応する２つのキー引き抜き不能位置にキーにより回動操作されるシリンダ錠と、該シリンダ錠の前記施錠状態に対応するキー挿抜自在位置と前記解錠状態に対応するキー引き抜き不能位置への回動によって施錠手段を駆動し施解錠を行う駆動手段と、前記施錠待機状態に対応するキー引き抜き不能位置において前記シリンダ錠の回動操作を規制する規制手段と、前記規制手段による規制状態にあるときコイン投入口に投入される所定数のコインを収容するコイン収容手段と、該コイン収容手段に所定数のコインが収容されたとき、前記規制手段による前記シリンダ錠の回動操作の規制を解除する規制解除手段と、該規制解除手段による規制解除後の前記シリンダ錠の回動操作に応じて前記収容手段に収容されているコインの一部を返却コインとして残し、残部を料金コインとして回収する回収手段と、前記シリンダ錠が前記施錠待機状態に対応するキー引き抜き不能位置にあるとき操作可能な返却操作手段を有し、該返却操作手段による返却操作に応じて、前記収容手段に返却コインとして残されているコインをコイン返却口に返却する返却手段とを備え、前記規制手段は、前記返却操作手段による返却操作に応じて前記シリンダ錠の回動操作を規制する状態を形成することを特徴とする。
【００１９】
上記構成により、一定のコインで何回でも使用可能なコインロッカに用いられるコインロッカ用錠装置において、所定数のコインの投入によってシリンダ錠の回動操作の規制が解除された後のシリンダ錠の回動操作によって料金コインが回収され、ロッカの使用を終了しシリンダ錠が施錠待機状態にあるキー引き抜き不能位置にあるときの返却操作することで返却コインを返却するようになっているので、ロッカの使用開始に先だって投入したコインのうち、ロッカ使用料金に相当するコインをロッカ使用終了まで待つことなく早期に回収でき、施錠待機状態に対応するキー引き抜き不能位置にあるときの返却操作によって返却コインが返却され、これに伴ってシリンダ錠の回動操作が規制されるようになっているので、未使用時のロッカ扉を開閉できない施錠状態に保つことができる。
【００２０】
請求項８記載のコインロッカ用錠装置は、請求項７記載のコインロッカ用錠装置において、前記施錠待機状態に対応するキー引き抜き不能位置は、前記施錠状態に対応するキー挿抜自在位置から前記解錠状態に対応するキー引き抜き不能位置とは反対方向にキーにより回動させた位置であり、前記駆動手段は、前記施錠状態に対応するキー挿抜自在位置と前記施錠待機状態に対応するキー引き抜き不能位置との間でのシリンダ錠の回動操作に節度感を付与する節度手段を有することを特徴とする。
【００２１】
上記構成により、施錠状態に対応するキー挿抜自在位置から解錠状態に対応するキー引き抜き不能位置の他に、施錠待機状態に対応するキー引き抜き不能位置を、施錠状態に対応するキー挿抜自在位置から解錠状態に対応するキー引き抜き不能位置とは反対方向にキーにより回動させた位置に形成し、施錠状態に対応するキー挿抜自在位置と施錠待機状態に対応するキー引き抜き不能位置との間でのシリンダ錠の回動操作に節度感を付与しているので、意識的にシリンダ錠を回動操作しない限り、不用意に施錠待機状態に対応するキー引き抜き不能位置に回動されるとことがない。
【発明の効果】
【００２２】
請求項１記載の発明によれば、一定のコインで何回でも使用可能なコインロッカに用いられるコインロッカ用錠装置において、所定数のコインの投入によってシリンダ錠の回動操作の規制が解除された後のシリンダ錠の回動操作によって料金コインが回収され、ロッカの使用を終了しシリンダ錠がキー引き抜き不能位置にあるときに返却操作することで返却コインを返却するようになっているので、ロッカの使用開始に先だって投入したコインのうち、ロッカ使用料金に相当するコインをロッカ使用終了まで待つことなく早期に回収できるコインロッカ用錠装置を提供することができる。
【００２３】
請求項２記載の発明によれば、シリンダ錠の回動操作を規制しているときコイン投入口へのコインの投入を許容し、規制解除後はコイン投入口へのコインの投入を阻止するようになっているので、料金コインが使用開始と同時に回収されてコイン収納スペースが生じても、使用中のロッカに誤ってコインが投入されることがなくなり、誤って投入されることによって生じるトラブルを未然に防止できる。
【００２４】
請求項３記載の発明によれば、所定数投入されたコインの一部が返却コインとして、残部が料金コインとして別々に収納保持され、料金コインとして収納保持しているコインがロッカ使用開始時のシリンダ錠の回動操作により回収され、返却コインとして収納保持しているコインがロッカ使用終了時の返却操作により返却されるので、料金コインの回収と返却コインの返却が使用開始時と使用終了時にそれぞれ確実に行うことができる。
【００２５】
請求項４記載の発明によれば、料金コイン収納保持手段へのコインの収納に先立ち、コイン投入口に所定数に達するまで投入されるコインをまず返却コインとして収納保持した後に料金コインとして収納保持し、収納保持した返却コインを返却操作によって開放するようにしているので、投入されたコインはまず返却コイン収納保持手段に収納され、返却コイン収納保持手段にコインが収納できなくなったところで次に回収コイン収納保持手段に格納されるようになり、所定数のコインの投入の途中で投入を取り止めて返却操作を行った場合、返却コイン数を超えて投入したコインだけが回収され、使用者にとって無駄に回収されるコイン数を少なくすることができる。
【００２６】
請求項５記載の発明によれば、返却コイン収納室とコイン返却口との間の返却通路内に進退可能に設けられた落下阻止ピンが、付勢手段による付勢によって返却通路内に進入されてコインの落下を阻止し、返却操作に応じて付勢手段による付勢に抗して返却通路外に後退されるようになっているので、返却コイン収納室に収納された返却コインは、付勢手段の付勢に抗する力が加えられ落下阻止ピンが返却通路外に後退されない限り、返却コイン収納室に収納保持され続ける。
【００２７】
請求項６記載の発明によれば、料金コイン収納室内のコインを落下して回収する回収通路内に進退可能に設けられた落下阻止ピンが、付勢手段による付勢によって回収通路内に進入されてコインの落下を阻止し、シリンダ錠の回動操作又は返却操作に応じて付勢手段による付勢に抗して回収通路外に後退されるようになっているので、料金コイン収納室に収納された料金コインは、付勢手段の付勢に抗する力が加えられ落下阻止ピンが回収通路外に後退されない限り、料金コイン収納室に収納保持され続ける。
【００２８】
請求項７記載の発明によれば、一定のコインで何回でも使用可能なコインロッカに用いられるコインロッカ用錠装置において、所定数のコインの投入によってシリンダ錠の回動操作の規制が解除された後のシリンダ錠の回動操作によって料金コインが回収され、ロッカの使用を終了しシリンダ錠が施錠待機状態にあるキー引き抜き不能位置にあるときに返却操作することで返却コインを返却するようになっているので、ロッカの使用開始に先だって投入したコインのうち、ロッカ使用料金に相当するコインをロッカ使用終了まで待つことなく早期に回収できる他、コインロッカ用錠装置を提供することができる。また、施錠待機状態に対応するキー引き抜き不能位置にあるときの返却操作によって返却コインが返却され、これに伴ってシリンダ錠の回動操作が規制されるようになっているので、未使用時のロッカ扉を開閉できない施錠状態に保つことができ、ロッカ扉を勝手に開けて荷物収容室内に無断で物を入れるなど、正規の使用者の使用を妨げることとなる行為を防ぐことができる。
【００２９】
請求項８記載の発明によれば、施錠状態に対応するキー挿抜自在位置から解錠状態に対応するキー引き抜き不能位置の他に、施錠待機状態に対応するキー引き抜き不能位置を、施錠状態に対応するキー挿抜自在位置から解錠状態に対応するキー引き抜き不能位置とは反対方向にキーにより回動させた位置に形成し、施錠状態に対応するキー挿抜自在位置と施錠待機状態に対応するキー引き抜き不能位置との間でのシリンダ錠の回動操作に節度感を付与しているので、意識的にシリンダ錠を回動操作しない限り、施錠待機状態に対応するキー引き抜き不能位置に回動されることがなく、施錠状態に対応するキー挿抜自在位置と解錠状態に対応するキー引き抜き不能位置との間でのシリンダ錠の回動操作の際に、シリンダ錠が誤って施錠待機状態に対応するキー引き抜き不能位置に回動させてしまうことが防止される。
【発明を実施するための最良の形態】
【００３０】
以下、本発明に係るコインロッカ用錠装置の一実施形態を図面を参照して説明する。図１はコインロッカ用錠装置の外観を示す正面図であり、同図において、コインロッカ用錠装置１（以下、錠装置と略記する。）はロッカ扉２ａをそれぞれ有する多数の荷物収容室を備えるコインロッカ２に適用される。ロッカ扉２ａは、図示しない付勢手段によって閉方向に付勢されており、荷物収容室を区画する右側壁２ｂに埋め込まれて設置された錠装置１によって施解錠される。ロッカ扉２ａには、解錠状態で手で開扉するための取手２ｃが設けられている。
【００３１】
錠装置１は、図２の正面図及び図３の外観斜視図にも示すように、金属製の枠体１ａを有する。枠体１ａの正面板１ａ１の外側には、上記右側壁２ｂの一部を形成している化粧板としての前板１ｂが重ねて配置されている。前板１ｂには、その上部側方に、コインロッカの使用に当たって使用者が所定数のコインを投入するためのコイン投入口１ｃが設けられ、このコイン投入口１ｃの下方に、使用者にコインを返却するためのコイン返却口１ｄが設けられている。
【００３２】
さらに、前板１ｂには、コイン投入口１ｃの側方に、コイン返却を求める使用者によって押圧操作される返却押ボタン１ｅが設けられ、コイン返却口１ｄの側方に、シリンダ錠１ｉのキー挿抜孔１ｆが設けられている。前板１ｂに設けられたシリンダ錠１ｉは、キー挿抜孔１ｆに挿入されたキー５の回動操作によって施錠板１ｇを枠体１ａの左側板１ａ２において出没させてロッカ扉（図１の２ａ）の施解錠を行う。
【００３３】
なお、枠体１ａの左側板１ａ２は、錠装置１が荷物収容室を区画する右側壁２ｂに埋め込まれたとき荷物収容室の内壁の一部を形成する。また、枠体１ａの左側板１ａ２において施錠板１ｇを出没させるための出没孔１ｈは、前板１ｂの一部が左側板１ａ２と重なるように後方に折り曲げられた部分に穿たれることで補強されている。枠体１ａの正面板１ａ１は、上記左側板１ａ２と、これに平行な右側板（後述する）とにより、錠装置１の各種の機構が収容、配置される空間Ｓを形成する。また、１ｊは枠体１ａの前板１ｂにコイン投入口１ｃと並んで設けられロッカ管理者によって操作される管理錠である。
【００３４】
本実施の形態では、シリンダ錠１ｉとしては、図４に示す施錠状態と、施錠状態から時計回転方向に例えば４２度回転させた図５に示す解錠状態の他に、施錠状態から解錠方向と反対方向に例えば２０度回転させた図１乃至図３に示す施錠待機状態をとり得るものが使用されている。図４の施錠状態では、施錠板１ｇを出没孔１ｈから突出させてロッカ扉２ａを開閉不能なように施錠し、キー挿抜孔１ｆに対してキー５が挿抜自在となる位置となる。また、図５の解錠状態では、施錠板１ｇを出没孔１ｈ内に没入させてロッカ扉２ａを開閉自在なように解錠し、キー挿抜孔１ｆに挿入されたキー５が引き抜き不能な位置となる。そして、図１乃至図３の施錠待機状態では、施錠板１ｇを出没孔１ｈから突出させてロッカ扉２ａを開閉不能なように施錠しているが、キー挿抜孔１ｆに挿入されたキー５が引き抜き不能な位置となる。
【００３５】
図１乃至３の施錠待機状態では、また、キー５によるシリンダ錠１ｉの回動操作が規制され、このために錠装置１は、施錠待機状態においてシリンダ錠１ｉの回動操作を規制する規制機構（後述する）を備える。この施錠待機状態においては、コイン投入口１ｃへのコイン投入が可能であり、コイン投入口１ｃに所定数のコインが投入されて後述するコイン収容部に収容されると、そのことがコイン検出機構（詳細は後述する）によって検出される。コイン投入口１ｃに投入された所定数のコインは、そのうちの一部が返却コイン収納保持機構（詳細は後述する）により返却コインとして、残りが料金コイン収納保持機構（詳細は後述する）によりロッカ使用のための料金コインとしてそれぞれ収納されて保持される。
【００３６】
なお、上記施錠待機状態では、返却押ボタン１ｅが押圧可能であり、この返却押ボタン１ｅの押圧によって、返却コイン収納保持機構による返却コインの保持と料金コイン収納保持機構による料金コインの保持とをともに開放することができる。したがって、コイン投入の途中で、都合によって投入を止めて返却押ボタン１ｅを押圧した場合には、その時点で、返却コインがコイン返却口１ｄに返却されるとともに返却コインを超えて投入されたコインについては、料金コインとして回収される。
【００３７】
上述したように、コイン検出機構によって所定数のコインの投入が検出されると、規制解除機構（詳細は後述する）が規制機構による規制を解除してシリンダ錠１ｉの回動操作を可能にする。この規制解除状態は、返却押ボタン１ｅの押圧操作によって返却コイン収納保持機構が保持している返却コインが返却されない限り保持される。規制解除状態にあるとき、キー５によってシリンダ錠１ｉが図５のキー引き抜き不能位置まで回動操作されると、図示のように施錠板１ｇが出没孔１ｈ内に没入されてロッカ扉２ａが開閉自在となる。
【００３８】
上述のシリンダ錠１ｉの回動操作に応じて料金回収機構（詳細は後述する）が、料金コイン収納保持機構による料金コインの保持を開放して料金コインを落下させ、これをロッカ使用料金として回収する。この状態で、返却コイン収納保持機構に保持されている返却コインの返却を求める返却押ボタン１ｅの押圧操作が行われない限り、すなわち、返却コイン収納保持機構に返却コインが保持されている間、規制解除状態が保たれる。解錠状態では、開閉自在となったロッカ扉２ａを開けて荷物収容室内への荷物の出し入れができる。この状態では、コイン投入口１ｃへのコインの投入と、返却ボタン１ｅの押圧がともにできないように規制されている。
【００３９】
上述のように開閉自在となったロッカ扉２ａを開けて荷物収容室内に荷物を入れ、ロッカ扉２ａを閉じた後、キー５によってシリンダ錠１ｉを図４のキー挿抜自在位置まで回動操作すると、図示のように、施錠板１ｇが出没孔１ｈから突出されてロッカ扉２ａを開けることができない施錠状態となり、この状態でキー５をキー挿抜孔１ｆから引き抜くことによって、荷物を保管することができる。この施錠状態では、解錠状態のときと同様に、コイン投入口１ｃへのコインの投入と、返却ボタン１ｅの押圧がともに不能になる。
【００４０】
返却コイン収納保持機構により返却コインが保持されている間、規制解除機構が規制を解除してシリンダ錠１ｉの回動操作を可能にするので、キー５によってシリンダ錠１ｉを回動操作することによって、必要に応じて何度でも図４の施錠状態と図５の解錠状態とにすることで、荷物の出し入れを行うことができる。
【００４１】
ロッカの使用を終了し、図５の解錠状態にしてロッカ扉２ａを開けて荷物収納室から荷物を出した後、図４の施錠状態を経て図１乃至図３に示すキー引き抜き不能位置までキー５によってシリンダ錠１ｉを回動操作すると、返却操作手段としての返却押ボタン１ｅの押圧が可能になる。ここで、返却押ボタン１ｅを押圧操作すると、これに応じて返却機構（詳細は後述する）が、返却コイン収納保持機構による返却コインの保持を開放して返却コインを落下させ、コイン返却口１ｄを通じて返却する。返却コイン収納保持機構によって保持されていた返却コインがなくなることによって、図１乃至図３について上述したように、キー５によるシリンダ錠１ｉの回動操作が規制機構により規制された施錠待機状態に戻る。なお、１Ｄはコイン返却口１ｄまで落下してきたコインを受けるコイン受けである。
【００４２】
以上概略説明した本発明の錠装置１が有する機構について、図６以降の図面を参照して以下詳細に説明する。
【００４３】
図６乃至図８は、施錠待機状態にある錠装置１の全体構成を示し、図６は枠体１ａの一部を破断して図３において矢印Ａ方向から見た側面図、図７は一部を破断して図３において矢印Ｂ方向から見た背面図、図８は一部を破断して図３において矢印Ｃ方向から見た底面図である。
【００４４】
錠装置１のシリンダ錠１ｉとしては、上述したように、施錠状態に対応するキー挿抜自在位置と、解錠状態及び施錠待機状態にそれぞれ対応する２つのキー引き抜き不能位置との３位置にキーにより回動操作されるものが使用されるが、錠装置１は、このシリンダ錠１ｉの施錠状態に対応するキー挿抜自在位置と解錠状態に対応するキー引き抜き不能位置への回動によって施錠手段としての施錠板１ｇを出没させるように駆動し施解錠を行う駆動手段としての駆動機構１０と、施錠待機状態に対応するキー引き抜き不能位置においてシリンダ錠１ｉの回動操作を規制する規制手段としての規制機構２０と、規制機構２０による規制状態にあるときコイン投入口１ｃに投入される所定数のコインを収容するコイン収容手段としてのコイン収容部３０とを備える。
【００４５】
錠装置１はまた、コイン収容部３０に所定数のコインが収容されたとき、規制機構２０によるシリンダ錠の回動操作の規制を解除する規制解除手段としての規制解除機構４０と、この規制解除機構４０による規制解除後のシリンダ錠１ｉの回動操作に応じて収容部３０に収容されているコインの一部を返却コインとして残し、残部を料金コインとして回収する回収手段としての回収機構５０と、シリンダ錠１ｉが施錠待機状態に対応するキー引き抜き不能位置にあるとき操作可能な返却操作手段としての返却押ボタン１ｅを有し、この返却押ボタン１ｅの押圧操作に応じて、収容部３０に返却コインとして残されているコインをコイン返却口１ｄに返却する返却手段６０とを備え、規制機構２０は、返却押ボタン１ｅの押圧操作に応じてシリンダ錠１ｉの回転操作を規制する状態を形成するように構成されている。なお、１Ｅは、図〜図５には図示が省略されているが、コイン投入口１ｃにコインを投入している作業中に誤って返却押ボタン１ｅが操作されることを防止するため、返却押ボタン１ｅの上方に隣接して設けられた誤操作防止用突片である。
【００４６】
なお、シリンダ錠１ｉは、シリンダ錠１ｉの後端面を示する背面図である図９に示されるように、キー挿入孔に正規のキーが挿入されたとき、筒体１ｉ１に対して回転可能となるシリンダ軸１ｉ２を有し、このシリンダ軸１ｉ２の筒体１ｉ１から突出した後端部には、筒体１ｉ１に設けた突起１ｉ４と協働して筒体１ｉ１に対するシリンダ軸１ｉ２の回転角度を規制する回転規制板１ｉ３が固定されている。回転規制板１ｉ３には、突起１ｉ４の一対の側面１ｉ４１及び１ｉ４２にそれぞれ突き当たる一対の規制面１ｉ３１及び１ｉ３２が形成されている。一対の規制面１ｉ３１及び１ｉ３２は、図９（ａ）に示すキー挿抜自在位置にある施錠状態において、一対の側面１ｉ４１及び１ｉ４２の何れにも突き当たっておらず、規制面１ｉ３１が側面１ｉ４１に突き当たる図９（ｂ）の解錠状態に対応する位置まで例えば４２°の角度、規制面１ｉ３２が側面１ｉ４２に突き当たる図９（ｃ）に示す施錠待機状態に対応する位置まで例えば２０°の角度それぞれ矢印方向に回転可能となる位置に形成されている。シリンダ錠１ｉは、図９（ａ）に示す施錠状態に対応する位置以外の位置ではキーの引き抜きが不能となる。なお、図９に示したシリンダ錠では、シリンダ軸１ｉ２の後端部に固定した回転規制板１ｉ３の一対の規制面１ｉ３１及び１ｉ３２を筒体１ｉ１に設けた突起１ｉ４の一対の側面１ｉ４１及び１ｉ４２に突き当てるようにしているが、回転規制板１ｉ３を別途設けることなく、筒体のシリンダ軸挿入端側の内周にストッパ部を形成し、このストッパ部に対してシリンダ軸の前端外周に一体に形成した肩部を突き当てるようにしても同様のことが行える。
【００４７】
次に各機構の詳細を順次説明する。まず、駆動機構１０を、図７においてこの機構に関連しない部材を除いて、施錠待機状態、施錠状態及び開錠状態をそれぞれ示す背面図である図１０〜図１２を参照して説明する。
【００４８】
駆動機構１０は、上述したように、シリンダ錠１ｉをキー５により回動操作することによって施錠板１ｇを出没させる駆動を行うためのものであるが、図示のように、キー５により回動操作されるシリンダ軸１ｉ２の後端に固定され、シリンダ軸１ｉ２とともに回動する駆動板１０ａを有する。施錠板１ｇは、枠体１ａの正面板１ａ１の内面に沿って移動するように出没孔１ｈと案内片１ｋとによって案内されている。施錠板１ｇの突出位置は施錠板１ｇ上の突起１ｇ２が枠体１ａの左側板１ａ２の内側に配した補枠１ａ３に突き当ることによって規制され、没入位置は施錠板１ｇの後端が右側板１ａ４にあけた図示しない孔を通じてその外側の前板１ｂの折り曲げ部にそれぞれ突き当たることによって規制される。施錠板１ｇの出没状態は、上記空間Ｓに常時存在する施錠板１ｇの後端部に形成したＬ字状の係合溝１ｇ１に係合された係合ピン１０ｂ１を有する施錠板保持片１０ｂによって保持される。
【００４９】
施錠板保持片１０ｂは、シリンダ錠１ｉと施錠板１ｇとの間に、枠体１ａの正面板１ａ１に突設した軸１０ｂ２に回転自在に軸止されて配置され、その回動範囲は、一部が補枠１ａ３に、他の一部が右側板１ａ４にあけた図示しない孔を通じてその外側の前板１ｂの折り曲げ部にそれぞれ突き当たることで規制されている。上記係合ピン１０ｂ１は、施錠板保持片１０ｂが図１０，図１１に示すように補枠１ａ３に突き当たったとき、Ｌ字状の係合溝１ｇ１の水平部に位置し、図１２に示すように前板１ｂの折り曲げ部に突き当ったとき垂直部に位置するように設けられている。係合ピン１０ｂ１と同軸に上方に突設された軸１０ｂ３には、軸１０ｂ２との間に施錠板１ｇを挟むように枠体１ａの正面板１ａ１に突設した軸１０ｃ１に一端が回動自在に固定されたねじりコイルスプリング１０ｃの他端が回動自在に固定されている。ねじりコイルスプリング１０ｃは軸１０ｂ３と軸１０ｃ１との間に縮設されている。軸１０ｃ１は、施錠板保持片１０ｂが軸１０ｂ２を中心に回動したとき、軸１０ｂ３が軸１０ｃ１と軸１０ｂ２との間を結ぶ直線を交差して移動するような位置に設けられる。
【００５０】
上述のような構成によって、施錠板保持片１０ｂは、ねじりコイルスプリング１０ｃによって、軸１０ｂ３が上記直線を超えて右側にあるとき時計回転方向の付勢力が付与されて図１０，図１１に示すように補枠１ａ３に突き当てられた状態に保持され、軸１０ｂ３が上記直線を超えて左側にあるとき反時計回転方向の付勢力が付与されて図１２に示すように前板１ｂの折り曲げ部に突き当てられた状態に保持されることで、Ｌ字状の係合溝１ｇ１に係合されている係合ピン１０ｂ１を介して施錠板１ｇを突出状態（図１０，図１１）と没入状態（図１２）に保持する。
【００５１】
施錠板保持片１０ｂのねじりコイルスプリング１０ｃの付勢力に抗する回動は、キー５によるシリンダ錠１ｉの回動操作によってシリンダ軸とともに回動される駆動板１０ａと施錠板保持片１０ｂとを連結する連結片１０ｄを介して施錠板保持片１０ｂに伝達されるシリンダ錠１ｉの回転操作力によって行われる。このために、連結片１０ｄの一端が、駆動板１０ａに突設された軸１０ａ１に回動自在に軸止され、他端に突設された連結ピン１０ｄ１が、施錠板保持片１０ｂに形成された軸１０ｂ２を中心とする円弧状の溝１０ｂ４に挿入されている。円弧状溝１０ｂ４内に挿入されている連結ピン１０ｄ１は、シリンダ錠１ｉが施錠状態及び解錠状態にあるとき、図１１及び図１２に示すように円弧状溝１０ｂ４内の一端に位置する。施錠板保持片１０ｂ上には、軸１０ｂ３に回動自在に軸止され、ねじりコイルスプリング１０ｅ１によって時計回転方向に付勢力が付与されてた移動規制片１０ｅが設けられている。移動規制片１０ｅは突設した軸１０ｅ２と円弧溝（図示せず）によって回動角度が制限されており、その先端部に、溝１０ｂ４内の一端にある連結ピン１０ｄ１を係止して連結ピン１０ｄ１の移動を規制する係止爪１０ｅ３を有する。
【００５２】
移動規制片１０ｅにねじりコイルスプリング１０ｅ１による付勢力が時計回転方向に付与されていることによって、この付勢力に抗する反時計回転方向の力が移動規制に加えられない限り、係止爪１０ｅ３が連結ピン１０ｄ１を係止して溝１０ｂ４内の一端に保持する。係止爪１０ｅ３によって連結ピン１０ｄ１が溝１０ｂ４の一端に保持されている状態では、駆動板１０ａと施錠板保持片１０ｂは連結片１０ｄを介して連結され、駆動板１０ａの回動によって施錠板保持片１０ｂが回動される。よって、上記駆動板１０ａ、ねじりコイルスプリング１０ｃ、施錠板保持片１０ｂは、シリンダ錠１ｉの回動によって施錠手段である施錠板１ｇを駆動し施解錠を行う駆動機構１０を構成する。
【００５３】
しかし、図１１の施錠状態から図１０の施錠待機状態に駆動板１０ａが回動された場合、施錠板保持片１０ｂが補枠１ａ３に突き当っていてそれ以上の回動が規制されているため、連結片１０ｄの連結ピン１０ｄ１が溝１０ｂ４の一端から溝１０ｂ４に沿って強引に移動される。この連結ピン１０ｄ１の移動によって、この連結ピン１０ｄ１を係止している係止爪１０ｅ３を介して移動規制片１０ｅをねじりコイルスプリング１０ｅ１による付勢力に抗して反時計回転方向に回動させるようになる。この移動規制片１０ｅの回動によって、連結ピン１０ｄ１は係止爪１０ｅ３の先端に乗り上って僅かに頂点を超える位置まで移動されてその位置に保持される。この様に連結ピン１０ｄ１が係止爪１０ｅ３を乗り越えて移動されなければならないため、シリンダ錠１ｉを図１１の施錠状態から図１０の施錠待機状態に回動操作する際の操作に大きな力が必要になり節度感が生じる。
【００５４】
なお、上記とは逆に、図１０の施錠待機状態から図１１の施錠状態に駆動板１０ａが回動された場合、連結ピン１０ｄ１は溝１０ｂ４の一端に戻る必要があるため、図１０において連結ピン１０ｄ１が係止爪１０ｅ３の頂点を超える位置に保持する力は、施錠板保持片１０ｂにねじりコイルスプリング１０ｃによって付与されている付勢力よりも十分に小さくなるようにしている。この保持力は、ねじりコイルスプリング１０ｅ１のスプリング力だけでなく、連結ピン１０ｄ１に対する係合爪１０ｅ３の接触面の傾斜角度などによって調整することができる。上述の結果、図１１の施錠状態から図１０の施錠待機状態に駆動板１０ａが回動する場合には大きな力による回動操作が必要であるのに対し、逆方向の場合には、小さな力で回動操作できる。よって、上記溝１０ｂ４、移動規制片１０ｅ及びねじりコイルスプリング１０ｅ１は、施錠状態に対応するキー挿抜自在位置と施錠待機状態に対応するキー引き抜き不能位置との間でのシリンダ錠の回動操作と他の状態間の回動操作に必要な操作力を異ならせる節度感を付与する節度機構を構成する。
【００５５】
次に、規制機構２０を、図６においてこの機構に関連しない部材を除いて、返却コインが返却された直後の施錠待機状態、所定数のコインが投入された施錠待機状態、開錠状態及び施錠状態をそれぞれ示す側面図である図１３〜図１６、図１３において錠装置を正面側から見た状態を示す断面図である図１７を参照して説明する。
【００５６】
規制機構２０は、上述したように、施錠待機状態に対応するキー引き抜き不能位置においてシリンダ錠１ｉの回動操作を規制するためのものであるが、図示のように、シリンダ軸１ｉ２の後端に固定された駆動板１０ａに突設された駆動軸１０ａ１が係合された係合凹部２０ａ１を有する起立片２０ａ２と一体に形成され、駆動板１０ａの回動によって上下動される押し板２０ａを有する。押し板２０ａは、２つの長孔２０ａ３，２０ａ４に、補枠１ａ３に突設した軸２０ａ５，２０ａ６が摺動自在に嵌合されることで、補枠１ａ３の板面に沿って上下方向に移動可能に案内されている。長孔２０ａ４には、その長手方向の一側縁に係止凹部２０ａ４１が形成されている。
【００５７】
上記押し板２０ａの長孔２０ａ４には、上記軸２０ａ６に揺動自在に軸止されたロックレバー２０ｂの一端部に突設されたロックピン２０ｂ１が挿入されている。係止凹部２０ａ４１は、シリンダ錠１ｉが施錠待機状態にあって、押し板２０ａが最も下方位置にあるとき、ロックピン２０ｂ１が係止凹部２０ａ４１に係入可能となるような位置に設けられている。ロックレバー２０ｂは、その他端側に形成された凹部２０ｂ２に、補枠１ａ３に突設した軸２０ａ７に揺動自在に軸止された揺動レバー２０ｃがその自重によって反時計回転方向に揺動したとき揺動レバー２０ｃに突設した係合ピン２０ｃ１が係入されて時計回転方向の回転力が付与され、ロックレバー２０ｂが時計回転方向に回転されると、ロックピン２０ｂ１が係止凹部２０ａ４１に係入される。
【００５８】
ロックピン２０ｂ１が係止凹部２０ａ４１に係入された状態では、キー５によってシリンダ錠１ｉを施錠待機状態から施錠状態にするように回動操作して押し板２０ａを上方に移動しようとすると、ロックレバー２０ｂが時計回転方向に回転されるようになってロックピン２０ｂ１が係止凹部２０ａ４１の底に突き当たってそれ以上の回転が阻止される。このため、押し板２０ａを上方に移動しようとするシリンダ錠１ｉの回動操作が規制されて施錠待機状態に対応するキー引き抜き不能な位置に保たれる。よって、上記押し板２０ａ、ロックレバー２０ｂ、揺動レバー２０ｃは、キー引き抜き不能位置においてシリンダ錠１ｉの回動操作を規制する規制機構２０を構成する。
【００５９】
なお、上記ロックレバー２０ｂは、その凹部２０ｂ２の一側壁が延長されて形成された延長片２０ｂ３に、揺動レバー２０ｃが自重に抗して時計回転方向に回動されたとき係合ピン２０ｃ１が当たって反時計回転方向の回転力が付与され、ロックレバー２０ｂが反時計回転方向に回転されると、ロックピン２０ｂ１が係止凹部２０ａ４１の外に出された状態となる。ロックピン２０ｂ１が係止凹部２０ａ４１の外に出た状態では、キー５によるシリンダ錠１ｉの回動操作によって押し板２０ａが上下動可能となり、シリンダ錠１ｉの回動操作の規制が解除される。よって、揺動レバー２０ｃは、後述する規制解除機構の一部をなす。
【００６０】
続いて、コイン収容部３０を、図６、図８，図１４，図１８などを参照して説明する。コイン収容部３０は、上述したように、規制機構２０によりシリンダ錠１ｉの回動操作が規制されているときコイン投入口１ｃに投入される所定数のコインを収容するためのものであるが、図６，図１４に示すように、コイン投入口に投入された所定数のコインの一部を返却コインとして格納して保持する返却コイン収納保持部３０ａと、所定数のコインの残部を料金コインとして収納して保持する料金コイン収納保持手段３０ｂとを有する。なお、返却コイン収納保持部３０ａは、料金コイン収納保持部３０ｂへのコインの収納に先立ち、コイン投入口１ｃに投入されたコインの一部を返却コインとして収納保持し、料金コイン収納保持部３０ｂは、返却コイン収納保持部３０ａが格納すべきコインを収納した後所定数に達するまで投入されるコインを料金コインとして収納保持するように配置されている。
【００６１】
返却コイン収納保持部３０ａは、図８，図１４．図１８，図１９などに示すように、コイン投入口に投入された返却コイン分のコインを収納する返却コイン収納室３０ａ１と、返却コイン収納室３０ａ１とコイン返却口１ｃとの間の返却通路３０ａ２内に進退可能に設けられ、返却通路３０ａ２内に進入してコインの落下を阻止し、返却通路３０ａ２外に後退して返却コイン収納室３０ａ１に収納されているコインをコイン返却口１ｄに落下させて返却する落下阻止ピン３０ａ３とを有し、料金コイン収納保持部３０ｂは、コイン投入口１ｃに投入される料金コイン分のコインを収納する料金コイン収納室３０ｂ１と、料金コイン収納室３０ｂ１内のコインを落下して回収する回収通路３０ｂ２内に進退可能に設けられ、回収通路３０ｂ２内に進入されてコインの落下を阻止する落下阻止ピン３０ｂ３とを有する。
【００６２】
返却コイン収容室３０ａ１及び料金コイン収容室３０ｂ１は、左側板１ａ２と補枠１ａ３との間にコインの厚さより僅か広い間隙を保つとともに各収容室を画成する形状のスペーサ１ｋ（図１４中の波線）を介在することによって形成される。なお、スペーサ１ｋは、後述する返却通路及び回収通路も同時に画成している。返却コイン収容室３０ａ１は、料金コイン収容室３０ｂ１にコインが収納されるのに先立ち、コイン投入口１ｃに投入されたコインが収容されるように、コイン投入口１ｃに近い方に配置される。料金コイン収容室２０ｂ１は、返却コイン収容室３０ａ１に返却コインとして収容するべき数のコインが収容され、それ以上のコインが収容できなくなったとき、その後に投入され返却コイン収容室３０ａ１から零れて落ちたコインを収容するように配置されている。
【００６３】
返却コイン収納保持部３０ａでは、落下阻止ピン３０ａ３は、補枠１ａ３に起立した一対の支持片３０ａ４にそれぞれ回動自在に軸止したＬ字状アーム３０ａ５の一端に回動自在に軸止され、Ｌ字状アーム３０ａ５の回動によって補枠１ａ３に対して接離される落下阻止板３０ａ６の面３０ａ６１に突設されている。Ｌ字状アーム３０ａ５の回動により、面３０ａ６１が補枠１ａ３に対して接近することによって返却通路３０ａ２内に進入し、補枠１ａ３から離間することによって返却通路３０ａ２外に後退する。Ｌ字状アーム３０ａ５の他端は、補枠１ａ３に起立した起立軸３０ａ７との間に張設したコイルスプリング３０ａ８によって一方向に付勢された引き板３０ａ９に回動自在に軸止されている。コイルスプリング３０ａ８の付勢力によって、落下阻止板３０ａ６の面３０ａ６１が補枠１ａ３に接近されて落下阻止ピン３０ａ３が返却通路３０ａ２内に進入した状態に保持される。なお、コイルスプリング３０ａ８は、落下阻止ピン３０ａ３を返却通路３０ａ２内に進入した状態に保持する付勢力を付与する付勢手段として働き、このコイルスプリング３０ａ８の付勢に抗して引き板３０ａ９を引くことによって、落下阻止ピン３０ａ３を返却通路３０ａ２外に後退させることができる。
【００６４】
料金コイン収納保持部３０ｂでは、落下阻止ピン３０ｂ３は、補枠１ａ３に起立した一対の支持片３０ｂ４にそれぞれ回動自在に軸止したＬ字状アーム３０ｂ５の一端に回動自在に軸止され、Ｌ字状アーム３０ｂ５の回動によって補枠１ａ３に対して接離される落下阻止板３０ｂ６の面３０ｂ６１に突設されている。Ｌ字状アーム３０ｂ５の回動により、面３０ｂ６１が補枠１ａ３に対して接近することによって回収通路３０ｂ２内に進入し、補枠１ａ３から離間することによって回収通路３０ｂ２外に後退する。Ｌ字状アーム３０ｂ５の他端は、補枠１ａ３に起立した起立軸３０ｂ７との間に張設したコイルスプリング３０ｂ８によって一方向に付勢された引き板３０ｂ９に回動自在に軸止されている。コイルスプリング３０ｂ８の付勢力によって、落下阻止板３０ｂ６の面３０ｂ６１が補枠１ａ３に接近されて落下阻止ピン３０ｂ３が回収通路３０ｂ２内に進入した状態に保持される。コイルスプリング３０ｂ８は、落下阻止ピン３０ｂ３を返却通路３０ｂ２内に進入した状態に保持する付勢力を付与する付勢手段として働き、このコイルスプリング３０ｂ８の付勢に抗して引き板３０ｂ９を引くことによって、落下阻止ピン３０ｂ３を回収通路３０ｂ２外に後退させることができる。
【００６５】
次に、規制解除機構４０について、図１４などを参照して説明する。規制解除機構４０は、上述したように、コイン収容部３０に所定数のコインが収容されたとき、規制機構２０によるシリンダ錠の回動操作の規制を解除するためのものであり、既に説明した規制機構２０が有する揺動レバー２０ｃを利用して、コイン収容部３０に所定数のコインが収容されたことを検出する。このために、上述したように軸２０ａ７に揺動自在に軸止された揺動レバー２０ｃには、料金コイン収容室３０ｂ１に収容されるコインが通過する通路内に挿入される検出ピン４０ａが突設されている。検出ピン４０ａ突出方向は係合ピン２０ｃ１と逆向きであるが、揺動レバー２０ｃの揺動時に係合ピン２０ｃ１と同方向に移動する位置に設けられている。通路内に挿入された検出ピン４０ａに通路を通過するコインの外周が当たると、揺動レバー２０ｃが自重による反時計回転方向の回転に抗して時計回転方向に揺動される。コイン収容部３０に所定数のコインが収容されたとき、料金コイン収納室３０ｂ１に最後に収納された最終コインの外周が検出ピン４０ａ当接し、この当接によって揺動レバー２０ｃが所定角度揺動された位置に固定される。この所定角度揺動された位置に固定された状態は、コイン収容部３０に所定数のコインが収容されたことを検出した状態に相当する。
【００６６】
コイン収容部３０に所定数のコインが収容され、揺動レバー２０ｃが所定角度揺動された位置に固定されると、ロックレバー２０ｂの凹部２０ｂ２に係合している揺動レバー２０ｃの係合ピン２０ｃ１がロックレバー２０ｂを反時計回転方向に回動させる。このことによって、ロックレバー２０ｂのロックピン２０ｂ１が押し板２０ａの長孔２０ａ４の係止凹部２０ａ４１の外に出た状態に保持される。ロックレバー２０ｂのロックピン２０ｂ１が長孔２０ａ４の係止凹部２０ａ４１の外に出ると、規制機構２０について上述したように、押し板２０ａの上方への移動が自由に行われるようになり、キー５によってシリンダ錠１ｉを施錠待機状態から施錠状態を経由して解錠状態にするように回動操作することが可能になる。すなわち、施錠待機状態であるキー引き抜き不能位置におけるシリンダ錠１ｉの回動操作の規制が解除される。
【００６７】
よって、上記揺動レバー２０ｃに突設された検出ピン４０ａ、揺動レバー２０ｃ、揺動レバー２０ｃの係合ピン２０ｃ１、ロックレバー２０ｂの凹部２０ｂ２などは、コイン収容部３０に所定数のコインが収容されたとき、規制機構２０によるシリンダ錠の回動操作の規制を解除する規制解除機構４０を構成している。
【００６８】
本実施形態では規制解除機構４０は、規制機構２０がシリンダ錠１ｉの回動操作を規制しているときコイン投入口１ｃへのコインの投入を許容し、規制解除後コイン投入口１ｃへのコインの投入を阻止するコイン投入規制機構４０Ｄを有する。コイン投入規制機構４０Ｄは、補枠１ａ３に突設された軸４０ｄ１に回動自在に軸止されたストッパレバー４０ｄを有する。ストッパレバー４０ｄはその一端にストッパピン４０ｄ２が突設され、他端に当接面４０ｄ３が形成されている。ストッパレバー４０ｄは、図６に示すように、何によっても拘束されていないとき、自重バランスにより図６に示すような状態となり、コイン投入口１ｃに投入されるコインがストッパピン４０ｄ２に当ると、軸４０ｄ１を中心に時計回転方向に回動され、この回動によってストッパピン４０ｄ２が投入コインの通路から逃げるため、コイン投入口１ｃへのコインの投入は阻止されることがない。これに対し、図１４に示すように所定数のコインが投入されると、揺動レバー２０ｃが所定角度揺動されて揺動レバーの２０ｃの一端の起立片２０ｃ２が当接面４０ｄ３に当接されるようになる、ストッパレバー４０ｄは軸４０ｄ１を中心に時計回転方向に回転できなくなり、コイン投入口１ｃに投入されたコインがストッパピン４０ｄ２に当たってもストッパピン６０ｄ２が投入コインの通路から逃げないため、コイン投入口１ｃへのコインの投入が阻止され、所定数のコインの投入後にコインが投入されることを防ぐ。
【００６９】
次に、上記回収機構５０を、図６，図１２，図１５，図２０〜図２２などを参照して説明する。回収機構５０は、上述したように、規制解除機構４０による規制解除後のシリンダ錠１ｉの回動操作に応じてコイン収容部３０に収容されているコインの一部を返却コインとして残し、残部を料金コインとして回収するためのものであり、図示のように、シリンダ錠１ｉのシリンダ軸１ｉ２とともに回動する駆動板１０ａに一端が回動自在に軸止されたレバー押し板５０ａを有し、レバー押し板５０ａの他端部には長孔５０ａ１が形成されている。レバー押し板５０ａは、規制解除機構４０による規制解除によって回動操作可能となったシリンダ錠１ｉが、施錠状態から施錠待機状態に回動操作されると上方に移動され、施錠状態から解錠状態に回動操作されると下方に移動される。
【００７０】
回収機構５０はまた、一方が直線状、他方がＬ字状となった一対の対向片５０ｂ１，５０ｂ２とこれらを連結する連結片５０ｂ３とからなるコ字状レバー５０ｂを有する。コ字状レバー５０ｂの直線状対向片５０ｂ１の両端部とこれに対向するＬ字状対向片５０ｂ２の部分に軸５０ｂ４及び５０ｂ５が挿通されている。Ｌ字状対向片５０ｂ２の一端部に相当する部分に挿通した一方の軸５０ｂ４の直線状対向片５０ｂ１側の軸端が延長されて上記レバー押し板５０ａの長孔５０ａ１に挿入されるとともに、他方の軸５０ｂ５が補枠１ａ３に起立した一対の支持片５０ｄに回動自在に軸止されている。Ｌ字状対向片５０ｂ２の他端部は、上述した料金コイン収納保持部３０ｂの落下阻止板３０ｂ６に一方のＬ字レバーの一端が軸止されている軸（符号なし）に回動自在に連結されている。
【００７１】
以上により、シリンダ錠１ｉが施錠状態から解錠状態に回動操作されてレバー押し板５０ａが下方に移動されると、軸５０ｂ４の延長端がレバー押し板５０ａによって押され、Ｌ字状対向片５０ｂ２は軸５０ｂ５を中心に反時計回転方向に回動される。このＬ字状対向片５０ｂ２は軸５０ｂ５の回動によって、落下阻止板３０ｂ６がコイルスプリング３０ｂ８の付勢力に抗して補枠１ａ３から離間する方向に駆動されて落下阻止ピン３０ｂ３が回収通路３０ｂ２外に後退される。この落下阻止ピン３０ｂ３の後退によって、料金コイン収納室３０ｂ１内に収納されていたコインが回収通路３０ｂ２を通じて落下されて、料金コインとして回収される。よって、上記レバー押し板５０ａ、コ字状レバー５０ｂなどは、料金コイン収納室３０ｂ１内に収納したコインをシリンダ錠１ｉの回動操作に応じて回収する回収機構５０を構成している。
【００７２】
なお、シリンダ錠１ｉが施錠状態から解錠状態に回動操作されてレバー押し板５０ａが下方に移動されることで、料金コインの回収が回収機構５０によって行われるが、このときのシリンダ錠１ｉの解錠状態への回動操作によって、規制解除機構４０は規制を解除した状態、すなわち、シリンダ錠の回動操作を自由に行える状態を保持する保持手段としてロック板４０ｂ（図１３〜図１６参照）を有する。
【００７３】
ロック板４０ｂは、枠体１ａ３に突設した軸４０ｂ１に回動自在に軸止され、自重によって反時計回転方向に回動力が付与されているが、所定数のコインが投入されて揺動レバー２０ｃが揺動された状態では、その側縁４０ｂ２が揺動レバー２０ｃに突設したストッパピン４０ｃ上に乗ってストッパピン４０ｃによって下受けされた状態にある。ところが、施錠待機状態から開錠状態へのシリンダ錠１ｉの回動操作によって駆動板１０ａが回動されて押し板２０ａが上方に移動されると、押し板２０ａの先端２０ａ８が揺動レバー２０ｃの係合ピン２０ｃ１側の延長端部２０ｃ３に突き当たって揺動レバー２０ｃをさらに時計回転方向に回動させる。
【００７４】
このことによって、ロック板４０ｂを下受けしていたロックピン４０ｃが逃げてしまい、ロック板４０ｂは自重によって下受けされていた位置から所定位置まで反時計回転方向に回動して停止する（図１５）。シリンダ錠１ｉの回動操作によって開錠状態から施錠状態となり、揺動レバー２０ｃが自重によって反時計回転方向に回動すると、所定位置まで回動したロック板４０ｂの先端面４０ｂ３にストッパピン４０ｃが当たって揺動レバー２０ｃがそれ以上戻らなくなる（図１６）。したがって、ロックレバー２０ｂのロックピン２０ｂ１が長孔２０ａ４の係止凹部２０ａ４１の外に出された状態に保持され、キー５によってシリンダ錠１ｉを自由に回動操作することができる。また、揺動レバー２０ｃが戻らなくなることによってストッパレバー４０ｄのストッパピン４０ｄ２がコイン投入口１ｃへのコインの投入を阻止する位置に保たれる。なお、ロック板４０ｂの所定位置までの回動は、後述するリセットプレート６０ｂの角穴６０ｂ１と、これに遊挿されるロック板４０ｂの起立片４０ｂ４との間の遊び量によって決められ、ロック板４０ｂの先端面４０ｂ３にストッパピン４０ｃが当るようにされる。
【００７５】
最後に返却手段としての返却機構６０を、上記の図のほか図２３〜２５図を参照して説明する。返却機構６０は、シリンダ錠１ｉが施錠待機状態に対応するキー引き抜き不能位置にあるとき操作可能な返却押ボタン１ｅの押圧操作に応じて、コイン収容部３０に返却コインとして残されているコインをコイン返却口１ｄに返却するためのものであり、シリンダ錠１ｉが施錠待機状態に対応するキー引き抜き不能位置にあるときのみ押圧可能であり、それ以外のとき押圧が規制される返却押ボタン１ｅを有する。返却押ボタン１ｅは、図示のように、補枠１ａ３に取り付けたボタンガイド６０ａが有する間隔をあけて対向された対向片６０ａ１，６０ａ２によってボタン軸１ｅ１の後端部が案内されている。ボタン軸１ｅ１は、対向片６０ａ１，６０ａ２間に軸の段部（図示せず）と止め輪６０ａ３によってリセットプレート６０ｂが固定され、中間部に取り付けた止め輪６０ａ４と一方の対向片６０ａ１との間に縮設した復帰用コイルスプリング６０ｃによって突出状態に保持されている。リセットプレート６０ｂは、ボタンガイド６０ａに形成した案内スリット（図示せず）を通じて対向片６０ａ１，６０ａ２の外側に引き出され、該引出部に角穴６０ｂ１と丸孔６０ｂ２が穿たれている。
【００７６】
シリンダ錠１ｉが施錠待機状態に対応するキー引き抜き不能位置にあるときのみ押圧可能であり、それ以外のとき押圧を規制するため、返却機構６０は、ボタンガイド６０ａに形成した案内スリット（図示せず）と、補枠１ａ３に突設された案内軸６０ｄによって上下方向に案内され、補枠１ａ３に突設した軸との間に張設したコイルスプリング６０ｅによって規制を解く方向に付勢されている押圧規制片６０ｆを有する。返却機構６０はまた、シリンダ錠１ｉが施錠待機状態に対応するキー引き抜き不能位置にあるとき、コイルスプリング６０ｅによる付勢により後退させ、それ以外の位置にあるとき付勢に抗して押圧規制片６０ｆを移動し、その一端６０ｆ１を返却押ボタン１ｅの押圧操作を規制する位置まで移動させるための機構を有する。この機構は、駆動板１０ａの外周縁に一体に形成したカム面１０ａ３と、カム面１０ａ３に従動する従動ローラ６０ｇ１を一端に有し、補枠１ａ３に起立した起立片６０ｇ３に突設した軸６０ｇ４と上記軸５０ｂ５とによって上下動可能に案内された従動片６０ｇと、従動片６０ｇの他端に突設した連結ピン６０ｇ２が係合される凹部６０ｈ１を一端に有し、中間部が補枠１ａ３に突設した軸６０ｈ２に回動自在に軸止されたる連結レバー６０ｈとを有する。連結レバー６０ｈの他端と押圧規制片６０ｆの他端は軸６０ｈ３にて連結されており、コイルスプリング６０ｅによって押圧規制片６０ｆに付与されている付勢力は、連結レバー６０ｈ及び従動片６０ｇを介して従動ローラ６０ｇ１に伝達され、従動ローラ６０ｇ１をカム面１０ａ３に押圧させる。
【００７７】
この構成により、シリンダ錠１ｉが施錠待機状態に対応するキー引き抜き不能位置にあるとき、図に示すように、従動ローラ６０ｇ１はカム面の低部に位置するようになり、従動片６０ｇは上方に移動し、この移動によって連結レバー６０ｈを軸６０ｈ２を中心に時計回転方向に回動させる。この連結レバー６０ｈの回動によって押圧規制片６０ｆはコイルスプリング６０ｅによる付勢力によって下方に移動され、その一端は返却押ボタン１ｅの押圧操作を規制しない位置まで後退される。これに対し、シリンダ錠１ｉが施錠状態に対応するキー挿抜自在位置と開錠状態に対応するキー引き抜き不能位置にあるときには、従動ローラ６０ｇ１はカム面の高部に位置するようになり、従動片６０ｇは下方に移動し、この移動によって連結レバー６０ｈを軸６０ｈ２を中心に反時計回転方向に回動させる。この連結レバー６０ｈの回動によって押圧規制片６０ｆはコイルスプリング６０ｅによる付勢力に抗して上方に移動され、その一端６０ｆ１は返却押ボタン１ｅの押圧操作を規制する位置まで移動される。なお、この規制位置は、ボタン軸１ｅ１に止め輪６０ａ３によって固定されているリセットプレート６０ｂの後退端が押圧規制片６０ｆの一端６０ｆ１に当たってそれ以上押圧操作することを不能にする位置である。
【００７８】
返却押ボタン１ｅの押圧操作に応じて、コイン収容部３０に返却コインとして残されているコインをコイン返却口１ｄに返却するため、返却機構６０は、一対のレバー６０ｉ１，６０ｉ２を連結片６０ｉ３で連結し、一対のレバーの対向部を補枠１ａ３に突設した軸６０ｉ４に回動自在に軸止した全体としてコ字状に形成したＬ字レバー６０ｉを有する。一方のレバー６０ｉ１に突設した連結軸６０ｉ５が上記リセットプレート６０ｂの丸孔６０ｂ２に挿入されるとともに、他方のレバー６０ｉ２に突設した突起６０ｉ６が上記返却コイン収納保持部３０ａの引き板３０ａ９に形成した係合片３０ａ９１に係合されている。
【００７９】
この構成により、返却押ボタン１ｅの押圧操作によりボタン軸１ｅ１とともにリセットプレート６０ｂが後退すると、Ｌ字レバー６０ｉが軸６０ｉ４を中心に時計回転方向に回動され、係合片３０ａ９１に係合されている突起６０ｉ６が引き板３０ａ９をコイルスプリング３０ａ８の付勢力に抗して移動してＬ字状アーム３０ａ５を回動させる。このＬ字状アーム３０ａ５の回動より、落下阻止板３０ａ６の面３０ａ６１が補枠１ａ３から離間されるようになって、落下阻止ピン３０ａ３が返却通路３０ａ２外に後退され、返却コイン収容室３０ａ１内に返却コインとして収容保持されていたコインが返却通路３０ａ２を通じて落下されコイン返却口１ｄから返却される。
【００８０】
なお、他方のレバー６０ｉ２に突設した突起６０ｉ６は、料金コイン収納保持部３０ｂの引き板３０ｂ９との一端に形成した係合片３０ｂ９１にも係合させている。したがって、返却押ボタン１ｅの押圧操作によりＬ字レバー６０ｉが軸６０ｉ４を中心に時計回転方向に回動されると、係合片３０ｂ９１に係合されている突起６０ｉ６が引き板３０ｂ９をコイルスプリング３０ｂ８の付勢力に抗して移動してＬ字状アーム３０ｂ５を回動させる。このＬ字状アーム３０ｂ５の回動より、落下阻止板３０ｂ６の面３０ｂ６１が補枠１ａ３から離間されるようになって、落下阻止ピン３０ｂ３が回収通路３０ｂ２外に後退され、料金コイン収容室３０ｂ１内に回収コインとして収容保持されているコインがある場合回収通路３０ｂ２を通じて落下され回収される。返却押ボタン１ｅの押圧操作により回収コインとして収容保持されているコインが回収されることは通常なく、コイン投入を途中で止めて、返却コインの返却を求める場合に、この機能が利用される。
【００８１】
上述したように、シリンダ錠１ｉが施錠待機状態に対応するキー引き抜き不能位置にあるとき操作可能となる返却押ボタン１ｅの押圧操作に応じて、コイン収容部３０に返却コインとして残されているコインをコイン返却口１ｄに返却した後、施錠待機状態に対応するキー引き抜き不能な施錠状態である施錠待機状態を形成するため、図１３に示すように、返却機構６０は、リセットプレート６０ｂの角穴６０ｂ１には、ロック板４０ｂに起立させた起立片４０ｂ４が遊挿されており、返却押ボタン１ｅが復帰用コイルスプリング６０ｃに抗して押圧操作され、リセットプレート６０ｂが後退するとき、角穴６０ｂ１内の起立片４０ｂ４が押されて、自重によって反時計回転方向に回動されているロック板４０ｂが時計回転方向に回動される。このロック板４０ｂの時計回転方向への回動によって、ロック板４０ｂの先端面４０ｂ３に対するストッパピン４０ｃの当接がはずれ、揺動レバー２０ｃが元の位置に戻る。その後、返却押ボタンの押圧が解かれると、ロック板４０ｂが自重によって反時計方向に回動して、その側縁４０ｂ２が揺動レバー２０ｃのストッパピン４０ｃ上に乗り、ストッパピン４０ｃによって下受けされた状態に戻る。このとき、押し板２０ａが最も下方位置にあるので、ロックピン２０ｂ１が係止凹部２０ａ４１に係入された状態となるので、押し板２０ａを上方に移動しようとするシリンダ錠１ｉの回動操作が規制されて施錠待機状態に対応するキー引き抜き不能な位置に保たれる。すなわち、規制機構２０が、キー引き抜き不能位置においてシリンダ錠１ｉの回動操作を規制するように働く。
【００８２】
上述した機構を備えた錠装置の動作を以下説明する。
【００８３】
今、キー５が図２に示すように左に２０度回転された施錠状態でキー引き抜き不能な施錠待機状態にある場合には、まだ所定数のコインが投入されていなければ、同図に示されるように、ストッパレバー４０ｄの時計回転方向の回動が拘束されていないので、コイン投入口１ｃにコインを投入することができる。この状態は、所定数のコインが投入されて図１４に示されるように揺動レバー２０ｃが時計回転方向に回動され、ストッパレバー４０ｄの時計回転方向の回動が拘束されるまで維持される。この状態では、例えば図１０，図１７に示すように、駆動板１０ａのカム面１０ａ３の低部に従動ローラ６０ｇ１が落ち込んでいるため、従動片６０ｇは上方に移動し、これに連結レバー６０ｈを介して連結されている押圧規制片６０ｆは、図６に示すように、その一端６０ｆ１が返却押ボタン１ｅの押圧操作を規制しない下方位置に移動されている。したがって、返却押ボタン１ｅはいつでも押圧操作できる。
【００８４】
また、この状態で所定数のコインがコイン収容部３０に収納されていないとき、揺動レバー２０ｃが自重仁よって反時計回転方向に揺動されて係合ピン２０ｃ１がロックレバー２０ｂの凹部２０ｂ２係入され、ロックレバー２０ｂに時計回転方向の回転力が付与され、ロックレバー２０ｂのロックピン２０ｂ１が係止凹部２０ａ４１に係入された状態になっている。したがって、シリンダ錠１ｉの回動操作が規制された状態となっている。
【００８５】
さらに、施錠待機状態では、たとえば図８、図１８、図１９に示されるように、コイン収容部３０の返却コイン収納保持部３０ａでは、コイルスプリング３０ａ８の付勢力によって、落下阻止板３０ａ６の面３０ａ６１が補枠１ａ３に接近されて落下阻止ピン３０ａ３が返却通路３０ａ２内に進入した状態に保持され、料金コイン収納保持部３０ｂでは、コイルスプリング３０ｂ８の付勢力によって、落下阻止板３０ｂ６の面３０ｂ６１が補枠１ａ３に接近されて落下阻止ピン３０ｂ３が回収通路３０ｂ２内に進入した状態に保持されている。しかも、図１４に示されているように、返却コイン収容室３０ａ１は、料金コイン収容室３０ｂ１にコインが収納されるのに先立ち、コイン投入口１ｃに投入されたコインが収容されるように、コイン投入口１ｃに近い方に配置される。したがって、コイン投入口１ｃに投入されたコインはまず返却コイン収容室３０ａ１に収納保持され、料金コイン収容室３０ｂ１には、返却コイン収容室３０ａ１に返却コインとして収容するべき数のコインが収容された後に投入されたコインが料金コインとして収納保持される。
【００８６】
上述したように、施錠待機状態では、返却押ボタン１ｅはいつでも押圧操作できるので、コイン投入口１ｃに所定数のコインを投入している任意の時点でコイン投入を止めて返却押ボタン１ｅを押圧操作することができる。返却押ボタン１ｅが押圧操作されると、ボタン軸１ｅ１とともにリセットプレート６０ｂが後退し、Ｌ字レバー６０ｉが軸６０ｉ４を中心に時計回転方向に回動される。このＬ字レバー６０ｉの回動により、係合片３０ａ９１に係合されている突起６０ｉ６が引き板３０ａ９をコイルスプリング３０ａ８の付勢力に抗して移動してＬ字状アーム３０ａ５が回動され、落下阻止板３０ａ６の面３０ａ６１が補枠１ａ３から離間されるようになって、落下阻止ピン３０ａ３が返却通路３０ａ２外に後退され、返却コイン収容室３０ａ１内に返却コインとして収容保持されていたコインが返却通路３０ａ２を通じて落下されコイン返却口１ｄから返却されるとともに、係合片３０ｂ９１に係合されている突起６０ｉ６が引き板３０ｂ９をコイルスプリング３０ｂ８の付勢力に抗して移動してＬ字状アーム３０ｂ５が回動され、落下阻止板３０ｂ６の面３０ｂ６１が補枠１ａ３から離間されるようになって、落下阻止ピン３０ｂ３が回収通路３０ｂ２外に後退され、料金コイン収容室３０ｂ１内に回収コインとして収容保持されているコインがある場合回収通路３０ｂ２を通じて落下され回収される。よって、コイン投入を途中で止めて、返却コインの返却を求めることができる。
【００８７】
なお、施錠待機状態では、図１０に示すように、駆動板１０ａに一端が回動自在に軸止されたレバー押し板５０ａの長孔５０ａ１に挿入されているコ字状レバー５０ｂの軸５０ｂ４が長孔の中央にあって何処にも当たっていなので、上述したように、返却押ボタン１ｅの押圧操作によって、引き板３０ｂ９をコイルスプリング３０ｂ８の付勢力に抗して移動してＬ字状アーム３０ｂ５を回動させて、料金コイン収容室３０ｂ１内に回収コインとして収容保持されているコインを回収通路３０ｂ２を通じて落下し回収することが可能になっている。
【００８８】
施錠待機状態でコイン投入口１ｃに投入したコインが所定数に達すると、図１４に示されるように、揺動レバー２０ｃがストッパレバー４０ｄの時計回転方向の回動を拘束するようになので、コイン投入口１ｃへのコインの投入が阻止されるようになる。また、揺動レバー２０ｃが所定角度揺動された位置に固定されることで、ロックレバー２０ｂのロックピン２０ｂ１が押し板２０ａの長孔２０ａ４の係止凹部２０ａ４１の外に出た状態に保持され、押し板２０ａの上方への移動が自由に行われるようになり、キー５によってシリンダ錠１ｉを施錠待機状態から施錠状態を経由して解錠状態にするように回動操作することが可能になる。すなわち、施錠待機状態であるキー引き抜き不能位置におけるシリンダ錠１ｉの回動操作の規制が解除されるようになる。
【００８９】
回動操作の規制が解除されたシリンダ錠１ｉをキー５の回動操作によって、図２及び図３の施錠待機状態から図４の施錠状態を経由して図５の解錠状態にすると、図１２に示すように施錠板１ｇが没入されて開錠されロッカ扉２ａが開閉自在となるが、同図に示されるように、レバー押し板５０ａが下方に移動され、軸５０ｂ４の延長端がレバー押し板５０ａによって押され、Ｌ字状対向片５０ｂ２は軸５０ｂ５を中心に反時計回転方向に回動される。このＬ字状対向片５０ｂ２は軸５０ｂ５の回動によって、落下阻止板３０ｂ６がコイルスプリング３０ｂ８の付勢力に抗して補枠１ａ３から離間する方向に駆動されて落下阻止ピン３０ｂ３が回収通路３０ｂ２外に後退される。この落下阻止ピン３０ｂ３の後退によって、料金コイン収納室３０ｂ１内に収納されていたコインが回収通路３０ｂ２を通じて落下されて、料金コインとして回収される。
【００９０】
ところでシリンダ錠１ｉが施錠待機状態から開錠状態に回動操作される直前の所定数のコインが投入されて揺動レバー２０ｃが揺動された図１４の状態では、ロック板４０ｂはその側縁４０ｂ２が揺動レバー２０ｃに突設したストッパピン４０ｃ上に乗ってストッパピン４０ｃによって下受けされた状態にある。このような状態にあるとき、施錠待機状態から開錠状態へのシリンダ錠１ｉの回動操作によって駆動板１０ａが回動されて図１５に示されるように押し板２０ａが上方に移動されると、押し板２０ａの先端２０ａ８が揺動レバー２０ｃの係合ピン２０ｃ１側の延長端部２０ｃ３に突き当たって揺動レバー２０ｃをさらに時計回転方向に回動させる。このことによって、ロック板４０ｂを下受けしていたストッパピン４０ｃが逃げ、ロック板４０ｂは自重によって下受けされていた位置から所定位置まで反時計回転方向に回動して停止する。
【００９１】
その後、シリンダ錠１ｉの回動操作によって開錠状態から図１６の施錠状態となり、揺動レバー２０ｃが自重によって反時計回転方向に回動すると、所定位置まで回動したロック板４０ｂの先端面４０ｂ３にストッパピン４０ｃが当たって揺動レバー２０ｃがそれ以上戻らなくなる。したがって、ロックレバー２０ｂのロックピン２０ｂ１が長孔２０ａ４の係止凹部２０ａ４１の外に出された状態に保持され、キー５によってシリンダ錠１ｉを自由に回動操作することができるようになる。なお、揺動レバー２０ｃが戻らなくなることによってストッパレバー４０ｄのストッパピン４０ｄ２がコイン投入口１ｃへのコインの投入を阻止する位置に保たれる。
【００９２】
また、シリンダ錠１ｉの回動操作によって開錠状態又は施錠状態となっているとき、例えば図１１，図１２に示すように、駆動板１０のカム面１０ａ３の高部に従動ローラ６０ｇ１が乗っているため、従動片６０ｇは下方に移動し、これに連結レバー６０ｈを介して連結されている押圧規制板６０ｆは、図１５，図１６に示すように、その一端６０ｆ１が返却押ボタン１ｅの押圧操作を規制する上方位置に移動され、ボタン軸１ｅ１にリセットプレート６０ｂの後退端が押圧規制片６０ｆの一端６０ｆ１に当たってそれ以上押圧操作することを不能にする。
【００９３】
ロッカの使用を終わり返却コインを返却してもらうに当たってキー５によるシリンダ錠１ｉのの回動操作によって図２の施錠待機状態に対応するキー引き抜き不能位置にすると、例えば図１０，図１７に示すように、駆動板１０のカム面１０ａ３の低部に従動ローラ６０ｇ１が落ち込むようになって、押圧規制片６０ｆは、図６に示すように、その一端６０ｆ１が返却押ボタン１ｅの押圧操作を規制しない下方位置に移動されて返却押ボタン１ｅの押圧操作ができるようになる。
【００９４】
そして、返却押ボタン１ｅを押圧操作すると、これに応じて、図１３，図２３〜図２５に示されるように、ボタン軸１ｅ１とともにリセットプレート６０ｂが後退し、Ｌ字レバー６０ｉが軸６０ｉ４を中心に時計回転方向に回動され、係合片３０ａ９１に係合されている突起６０ｉ６が引き板３０ａ９をコイルスプリング３０ａ８の付勢力に抗して移動してＬ字状アーム３０ａ５を回動させる。このＬ字状アーム３０ａ５の回動より、落下阻止板３０ａ６の面３０ａ６１が補枠１ａ３から離間されるようになって、落下阻止ピン３０ａ３が返却通路３０ａ２外に後退され、返却コイン収容室３０ａ１内に返却コインとして収容保持されていたコインが返却通路３０ａ２を通じて落下されコイン返却口１ｄから返却される。
【００９５】
なお、他方のレバー６０ｉ２に突設した突起６０ｉ６は、料金コイン収納保持部３０ｂの引き板３０ｂ９との一端に形成した係合片３０ｂ９１にも係合させているので、返却押ボタン１ｅの押圧操作によりＬ字レバー６０ｉが軸６０ｉ４を中心に時計回転方向に回動されると、係合片３０ｂ９１に係合されている突起６０ｉ６が引き板３０ｂ９をコイルスプリング３０ｂ８の付勢力に抗して移動してＬ字状アーム３０ｂ５が回動されて落下阻止板３０ｂ６の面３０ｂ６１も補枠１ａ３から離間されるようになる。
【００９６】
上述したように、返却押ボタン１ｅが復帰用コイルスプリング６０ｃに抗して押圧操作され、リセットプレート６０ｂが後退したとき、角穴６０ｂ１内の起立片４０ｂ４が押されて、自重によって反時計回転方向に回動されているロック板４０ｂが時計回転方向に回動される。このロック板４０ｂの時計回転方向への回動によって、ロック板４０ｂの先端面４０ｂ２に対するストッパピン４０ｃの当接がはずれ、揺動レバー２０ｃが元の位置に戻る。その後、返却押ボタンの押圧が解かれると、ロック板４０ｂが自重によって反時計方向に回動して、その側縁４０ｂ２が揺動レバー２０ｃのストッパピン４０ｃ上に乗り、ストッパピン４０ｃによって下受けされた状態に戻る。このとき、押し板２０ａが最も下方位置にあるので、ロックピン２０ｂ１が係止凹部２０ａ４１に係入された状態となるので、押し板２０ａを上方に移動しようとするシリンダ錠１ｉの回動操作が規制されて施錠待機状態に対応するキー引き抜き不能な位置に保たれる。すなわち、キー引き抜き不能位置においてシリンダ錠１ｉの回動操作が規制されるようになり、使用開始から使用終了までの一連の動作が終了する。
【００９７】
なお、上述した実施の形態では、シリンダ錠１ｉとして、施錠状態に対応するキー挿抜自在位置と、解錠状態及び施錠待機状態にそれぞれ対応する２つのキー引き抜き不能位置との３位置にキーにより回動操作できるものを使用することによって、施錠状態で待機しロッカ未使用時にロッカ扉の開閉をできなくしているが、本発明は、施錠状態に対応するキー挿抜自在位置と解錠状態に対応するキー引き抜き不能位置の２位置にキーにより回動操作されるシリンダ錠を使用した場合にも等しく適用することができる。
【００９８】
この場合には、解錠状態に対応するキー引き抜き不能位置にあるときに、返却コインを返却させる返却押ボタンの押圧操作を可能にし、返却コインの返却に応じてシリンダ錠１のキーによる回動操作ができなくなるように規制し、かつ、コイン投入口に投入した所定数のコインが収容されることによってシリンダ錠の回動操作の規制を解除し、この規制解除後のシリンダ錠の施錠状態に対応する位置への回動操作に応じて、収容されているコインの一部を返却コインとして残し、残部を料金コインとして回収し、以後解錠状態にあるき返却押ボタンの押圧操作によって返却コインの返却が行われるまで、シリンダ錠を繰り返し施解錠できるようにするようにしていもよい。
【００９９】
上述した実施形態によれば、コイン投入口１ｃへの所定数のコインの投入によってシリンダ錠１ｉの回動操作の規制が解除され、その後のシリンダ錠１ｉの回動操作によって料金コインが回収され、ロッカの使用を終了し、シリンダ錠１ｉがキー引き抜き不能位置にあるときの返却操作することで返却コインを返却するようになっている。したがって、ロッカの使用開始に先だって投入したコインのうち、ロッカ使用料金に相当するコインをロッカ使用終了まで待つことなく早期に回収できる。
【０１００】
また、シリンダ錠１ｉの回動操作を規制しているときコイン投入口１ｃへのコインの投入を許容し、規制解除後はコイン投入口１ｃへのコインの投入を阻止するようになっているので、料金コインが使用開始と同時に回収されてコイン収納スペースが生じても、使用中のロッカに誤ってコインが投入されることがなくなり、誤って投入されることによって生じるトラブルを未然に防止できる。
【０１０１】
さらに、所定数投入されたコインの一部が返却コインとして、残部が料金コインとして別々に収納保持され、料金コインとして収納保持しているコインがロッカ使用開始時のシリンダ錠１ｉの回動操作により回収され、返却コインとして収納保持しているコインがロッカ使用終了時の返却操作により返却されるので、料金コインの回収と返却コインの返却が使用開始時と使用終了時にそれぞれ確実に行うことができる。
【０１０２】
また、料金コイン収納保持部３０ｂへのコインの収納に先立ち、コイン投入口１ｃに所定数に達するまで投入されるコインをまず返却コインとして収納保持した後に料金コインとして収納保持し、収納保持した返却コインを返却操作によって開放するようにしているので、投入されたコインはまず返却コイン収納保持部３０ａに収納され、返却コイン収納保持部３０ａにコインが収納できなくなったところで次に料金コイン収納保持部３０ｂに格納されるようになり、所定数のコインの投入の途中で投入を取り止めて返却押ボタン１ｅの押圧操作を行った場合、返却コイン数を超えて投入したコインだけが回収され、使用者にとって無駄に回収されるコイン数を少なくすることができる。
【０１０３】
また、返却コイン収納室３０ａ１とコイン返却口１ｄとの間の返却通路３０ａ２内に進退可能に設けられた落下阻止ピン３０ａ３が、コイルスプリング３０ａ８による付勢によって返却通路３０ａ２内に進入されてコインの落下を阻止し、返却操作に応じてコイルスプリング３０ａ８による付勢に抗して返却通路３０ａ２外に後退されるようになっているので、返却コイン収納室３０ａ１に収納された返却コインは、コイルスプリング３０ａ８の付勢に抗する力が加えられ落下阻止ピン３０ａ３が返却通路３０ａ２外に後退されない限り、返却コイン収納室３０ａ１に収納保持され続ける。
【０１０４】
さらに、料金コイン収納室３０ｂ１内のコインを落下して回収する回収通路３０ｂ２内に進退可能に設けられた落下阻止ピン３０ｂ３が、コイルスプリング３０ｂ８による付勢によって回収通路３０ｂ２内に進入されてコインの落下を阻止し、シリンダ錠１ｉの回動操作又は返却操作に応じてコイルスプリング３０ｂ８による付勢に抗して回収通路３０ｂ２外に後退されるようになっているので、料金コイン収納室３０ｂ１に収納された料金コインは、コイルスプリング３０ｂ８の付勢に抗する力が加えられ落下阻止ピン３０ｂ３が回収通路３０ｂ２外に後退されない限り、料金コイン収納室３０ｂ１に収納保持され続ける。
【０１０５】
また、施錠待機状態に対応するキー引き抜き不能位置にあるときの返却操作によって返却コインが返却され、これに伴ってシリンダ錠の回動操作が規制されるようになっているので、未使用時のロッカ扉を開閉できない施錠状態に保つことができ、ロッカ扉を勝手に開けて荷物収容室内に無断で物を入れるなど、正規の使用者の使用を妨げるとなる行為を防ぐことができる。
【０１０６】
さらに、施錠状態に対応するキー挿抜自在位置から解錠状態に対応するキー引き抜き不能位置の他に、施錠待機状態に対応するキー引き抜き不能位置を、施錠状態に対応するキー挿抜自在位置から解錠状態に対応するキー引き抜き不能位置とは反対方向にキーにより回動させた位置に形成し、施錠状態に対応するキー挿抜自在位置と施錠待機状態に対応するキー引き抜き不能位置との間でのシリンダ錠１ｉの回動操作に節度感を付与しているので、意識的にシリンダ錠１ｉを回動操作しない限り、施錠待機状態に対応するキー引き抜き不能位置に回動されるとことがなく、施錠状態に対応するキー挿抜自在位置と解錠状態に対応するキー引き抜き不能位置との間でのシリンダ錠の回動操作の際に、シリンダ錠が誤って施錠待機状態に対応するキー引き抜き不能位置に回動させてしまうことが防止される。
【図面の簡単な説明】
【０１０７】
【図１】コインロッカに組み込んだ本発明に係るコインロッカ用錠装置を示す正面図である。
【図２】施錠待機状態にある本発明に係るコインロッカ用錠装置の一実施の形態を示す正面図である。
【図３】施錠待機状態にある本発明に係るコインロッカ用錠装置の一実施の形態を示す斜視図である。
【図４】施錠状態にある本発明に係るコインロッカ用錠装置の一実施の形態を示す正面図である。
【図５】解錠状態にある本発明に係るコインロッカ用錠装置の一実施の形態を示す正面図である。
【図６】施錠待機状態にある錠装置の全体構成を、枠体の一部を破断して図３において矢印Ａ方向から見た側面図である。
【図７】施錠待機状態にある錠装置の全体構成を、枠体の一部を破断して図３において矢印Ｂ方向から見た背面図である。
【図８】施錠待機状態にある錠装置の全体構成を、枠体の一部を破断して図３において矢印Ｃ方向から見た底面図である。
【図９】シリンダ錠の後端面を示する背面図であり、（ａ）は施錠状態、（ｂ）は解錠状態、（ｃ）は施錠状態を示す。
【図１０】図７において一部の部材を除いて、施錠待機状態を示す背面図である。
【図１１】図７において一部の部材を除いて、施錠状態を示す背面図である。
【図１２】図７において一部の部材を除いて、開錠状態を示す背面図である。
【図１３】図６において一部の部材を除いて、返却押ボタンが押圧されて施錠待機状態を示す側面図である。
【図１４】図６において一部の部材を除いて、所定数のコインが投入された状態を示す側面図である。
【図１５】図６において一部の部材を除いて、解錠状態を示す側面図である。
【図１６】図６において一部の部材を除いて、施錠状態を示す側面図である。
【図１７】一部の部材を除くとともに一部を破断して、施錠待機状態を示す正面図である。
【図１８】一部の部材を除くとともに一部を破断して、施錠待機状態を示す背面図である。
【図１９】一部の部材を除いて、施錠待機状態を示す背面図である。
【図２０】一部の部材を除いて、解錠状態を示す背面図である。
【図２１】一部の部材を除くとともに枠体を部分的に破断して、解錠状態を示す側面図である。
【図２２】一部の部材を除いて、解錠状態を示す底面図である。
【図２３】一部の部材を除くとともに部分的に破断して、コイン返却時の状態を示す背面図である。
【図２４】一部の部材を除くとともに部分的に破断して、コイン返却時の状態を示す側面図である。
【図２５】一部の部材を除いて、コイン返却時の状態を示す底面図である。
【符号の説明】
【０１０８】
１ｃ        コイン投入口
１ｄ        コイン返却口
１ｅ        返却操作手段（返却押ボタン）
１ｇ        施錠手段（施錠板）
１ｉ        シリンダ錠
１０        駆動手段（駆動機構）
２０        規制手段（規制機構）
３０        コイン収容手段（コイン収容部）
３０ａ      返却コイン収納保持手段
３０ａ１    返却コイン収納室
３０ａ２    返却通路
３０ａ３    落下阻止ピン
３０ａ５    付勢手段（コイルスプリング）
３０ｂ      料金コイン収納保持手段
３０ｂ１    料金コイン収納室
３０ｂ２    回収通路
３０ｂ３    落下阻止ピン
３０ｂ５    付勢手段（コイルスプリング）
４０        規制解除手段（規制解除機構）
４０Ｄ      コイン投入規制手段（コイン投入規制機構）
５０        回収手段（回収機構）
６０        返却手段（返却機構）
【図１】
2007063878.tif 000003
【図２】
2007063878.tif 000004
【図３】
2007063878.tif 000005
【図４】
2007063878.tif 000006
【図５】
2007063878.tif 000007
【図６】
2007063878.tif 000008
【図７】
2007063878.tif 000009
【図８】
2007063878.tif 000010
【図９】
2007063878.tif 000011
【図１０】
2007063878.tif 000012
【図１１】
2007063878.tif 000013
【図１２】
2007063878.tif 000014
【図１３】
2007063878.tif 000015
【図１４】
2007063878.tif 000016
【図１５】
2007063878.tif 000017
【図１６】
2007063878.tif 000018
【図１７】
2007063878.tif 000019
【図１８】
2007063878.tif 000020
【図１９】
2007063878.tif 000021
【図２０】
2007063878.tif 000022
【図２１】
2007063878.tif 000023
【図２２】
2007063878.tif 000024
【図２３】
2007063878.tif 000025
【図２４】
2007063878.tif 000026
【図２５】
2007063878.tif 000027